(57)【要約】      （修正有）【課題】メッシュネットワークにおいて、他端末からのチャネル変更の通知が無い状態で通信経路を失うことがない技術を提供する。【解決手段】同一メッシュネットワーク上の無線端末に、前記ネットワーク上の端末で行われたチャネル変更に関する情報を通知する。通知を受信した端末は、通知に基づいて、自端末がチャネル変更を行うか否かの判断を行う。【選択図】図１
2011223158.tif 000002
【特許請求の範囲】
【請求項１】
無線システムであって、
同一メッシュネットワーク上の無線端末に、前記ネットワーク上の端末で行われたチャネル変更に関する情報を通知することを特徴とする無線システム。
【請求項２】
前記通知を受信すると、前記チャネル変更に伴い、自端末がチャネル変更するか否かを隣接する無線端末に通知することを特徴とする請求項１に記載の無線システム。
【請求項３】
前記通知を受信すると、前記チャネル変更に伴い、自端末がチャネル変更するか否かを、他の無線端末のチャネル変更に関する情報と共に、隣接する無線端末に通知することを特徴とする請求項１に記載の無線システム。
【請求項４】
前記通知に基づいて、自端末がチャネル変更するか否かを判断することを特徴とする請求項１から請求項３のいずれかに記載の無線システム。
【請求項５】
前記通知と、前記通知を送信した無線端末との通信状態とに基づいて、自端末がチャネル変更するか否かを判断することを特徴とする請求項１から請求項３のいずれかに記載の無線システム。
【請求項６】
無線端末であって、
同一メッシュネットワーク上の無線端末に、前記ネットワーク上の端末で行われたチャネル変更に関する情報を生成し、隣接する無線端末に通知する通知手段を有することを特徴とする無線端末。
【請求項７】
前記通知手段は、前記通知を受信すると、前記チャネル変更に伴い、自端末がチャネル変更するか否かを隣接する無線端末に通知することを特徴とする請求項６に記載の無線端末。
【請求項８】
前記通知手段は、前記通知を受信すると、前記チャネル変更に伴い、自端末がチャネル変更するか否かを、他の無線端末のチャネル変更に関する情報と共に、隣接する無線端末に通知することを特徴とする請求項６に記載の無線端末。
【請求項９】
前記通知に基づいて、自端末がチャネル変更するか否かを判断する判断手段を有することを特徴とする請求項６から請求項８のいずれかに記載の無線端末。
【請求項１０】
前記通知と、前記通知を送信した無線端末との通信状態とに基づいて、自端末がチャネル変更するか否かを判断する判断手段を有することを特徴とする請求項６から請求項８のいずれかに記載の無線端末。
【請求項１１】
無線通信方法であって、
同一メッシュネットワーク上の無線端末に、前記ネットワーク上の端末で行われたチャネル変更に関する情報を通知することを特徴とする無線通信方法。
【請求項１２】
前記通知を受信すると、前記チャネル変更に伴い、自端末がチャネル変更するか否かを隣接する無線端末に通知することを特徴とする請求項１１に記載の無線通信方法。
【請求項１３】
前記通知を受信すると、前記チャネル変更に伴い、自端末がチャネル変更するか否かを、他の無線端末のチャネル変更に関する情報と共に、隣接する無線端末に通知することを特徴とする請求項１１に記載の無線通信方法。
【請求項１４】
前記通知に基づいて、自端末がチャネル変更するか否かを判断することを特徴とする請求項１１から請求項１３のいずれかに記載の無線通信方法。
【請求項１５】
前記通知と、前記通知を送信した無線端末との通信状態とに基づいて、自端末がチャネル変更するか否かを判断することを特徴とする請求項１１から請求項１３のいずれかに記載の無線通信方法。
【請求項１６】
無線端末のプログラムであって、前記プログラムは前記無線端末を、
同一メッシュネットワーク上の無線端末に、前記ネットワーク上の端末で行われたチャネル変更に関する情報を生成し、隣接する無線端末に通知する通知手段として機能させることを特徴とするプログラム。
【発明の詳細な説明】
【技術分野】
【０００１】
本発明は、無線システム、無線端末、無線通信方法、及びプログラムに関する。
【背景技術】
【０００２】
IEEE802.11無線LANを用いたメッシュネットワークを実現するための新しい規格がTGsとして議論されている（例えば、非特許文献１）。これは、通常の無線LANで行われるような、アクセスポイントとクライアントとの間の通信とは異なる技術である。ある端末は隣接する端末との間でリンク接続を確立し、同じメッシュネットワーク上であって直接通信しない端末、すなわち隣接端末ではない端末へのデータ通信は、同一メッシュネットワーク上の端末がそのデータを転送していく。
【０００３】
TGsでは、隣接端末との間のリンクの接続確立の方式、セキュリティ、及び省電力などについて規格化作業が進められている。それらの中で、他の無線システムからの干渉を検知したときのチャネル変更方法についても仕様が規定されている（例えば、非特許文献２）。このチャネル変更の方法は、まず、他の無線システムからの干渉を検知した端末が、チャネル変更通知を他の隣接端末に対して送信する。チャネル変更通知は、変更の理由、新しいチャネル、及び変更のタイミング等から構成される。このチャネル変更通知を受信した端末は、そのチャネル変更通知をもとにチャネルを変更するか否かを決定し、チャネルを変更する場合には隣接端末へチャネル変更通知を送信する。このように、他の無線システムからの干渉があった場合には、干渉を検知した端末が隣接端末へその情報を送信して、他のチャネルへ移動する。
【先行技術文献】
【非特許文献】
【０００４】
【非特許文献１】IEEE Std 802.11-2007
【非特許文献２】IEEE Std 802.11s-Draft 3.0
【発明の概要】
【発明が解決しようとする課題】
【０００５】
ところが、このチャネル変更通知に対して、その通知に沿ってチャネルを変更するか否かは各端末の判断となり、仕様では定められていない。チャネル変更通知を受信した端末であっても、そのチャネル変更通知にしたがってチャネルを変更しない場合においては、さらなる隣接端末へのチャネル変更通知の送信についての規定はない。そのため、チャネルを変更しない場合であって、且つ、チャネル変更通知が隣接端末へ送信されない状況においては、その隣接端末は突然他の隣接しない端末との通信を失うという可能性がある。
【０００６】
また、チャネル変更をしない場合であって、且つ、チャネル変更通知が隣接端末へ送信される状況においては、その隣接端末はチャネル変更通知に沿ってチャネルを変えることで、直接通信を行っている隣接端末とのリンクを失い、他の端末との通信が不能となる可能性がある。そのため、チャネル変更通知を受信した場合であっても、チャネル変更をどのように判断するかが大変難しい。
【０００７】
上記のように、現在の仕様では、チャネル変更通知の活用が難しく、かつ端末へは何の通知がない状態で突然データ通信の経路を失う可能性がある。
【０００８】
本発明の課題は、上記問題点を解決することにあり、メッシュネットワークにおいて、他端末からのチャネル変更の通知が無い状態で通信経路を失うことがない技術を提供することにある。
【課題を解決するための手段】
【０００９】
上記課題を解決する本発明は、無線システムであって、同一メッシュネットワーク上の無線端末に、前記ネットワーク上の端末で行われたチャネル変更に関する情報を通知することを特徴とする。
【００１０】
上記課題を解決する本発明は、無線端末であって、同一メッシュネットワーク上の無線端末に、前記ネットワーク上の端末で行われたチャネル変更に関する情報を生成し、隣接する無線端末に通知する通知手段を有することを特徴とする。
【００１１】
上記課題を解決する本発明は、無線通信方法であって、同一メッシュネットワーク上の無線端末に、前記ネットワーク上の端末で行われたチャネル変更に関する情報を通知することを特徴とする。
【００１２】
上記課題を解決する本発明は、無線端末のプログラムであって、前記プログラムは前記無線端末を、同一メッシュネットワーク上の無線端末に、前記ネットワーク上の端末で行われたチャネル変更に関する情報を生成し、隣接する無線端末に通知する通知手段として機能させることを特徴とする。
【発明の効果】
【００１３】
本発明によると、ネットワーク上で一部の端末にチャネル変更が発生し、リンクを失うことが予期できる。
【図面の簡単な説明】
【００１４】
【図１】図１は、本発明の通信システムの概要図である。
【図２】図２は、本発明の第１の実施の形態の無線通信端末の一例を示すブロック図である。
【図３】図３は、変更通知フォーマットを説明するための図である。
【図４】図４は、本発明のチャネル変更通知フォーマットを説明するための図である。
【図５】図５は、本発明の動作を説明するための図である。
【図６】図６は、本発明の第２の実施の形態の無線通信端末の一例を示すブロック図である。
【図７】図７は、本発明のチャネル変更通知フォーマットを説明するための図である。
【図８】図８は、本発明の動作を説明するための図である。
【発明を実施するための形態】
【００１５】
まず、本発明の概要について説明をする。本発明は、IEEE802.11 TGsで規定されているチャネル変更通知、Mesh Channel Switch Announcement elementに図４又は図７に示すように新たな項目を設ける。そして、同一メッシュネットワーク上の無線通信端末に対して、同一ネットワーク上の無線通信端末で行われたチャネル変更に関する情報を新たに設けた項目に挿入して通知する。
【００１６】
以下において、図面を参照して具体的に述べる。
【００１７】
（第１の実施の形態）
本発明を実施するための第１の実施の形態について図面を参照して詳細に説明する。
【００１８】
図１は、本発明の無線通信システムの概要図である。本発明の無線通信システムは、複数の無線通信端末を有する。各無線通信端末は、IEEE802.11 TGsで規定されているメッシュネットワークの技術を用いて、隣接する無線通信端末と無線通信する。以下の説明において、無線通信システムは同一メッシュネットワーク上に無線通信端末３１１〜３１６の６台が接続されている構成である場合を用いて説明するが、無線通信端末の数は幾つであっても良い。
【００１９】
図２は、本願における無線通信端末の構成を示す。無線通信端末１は、干渉検出部１１と、チャネル変更通知生成部１２と、チャネル変更通知の送受信を行う無線通信部１３と、チャネル選択判断部１４とを有する。
【００２０】
干渉検出部１１は、他の無線システムからの干渉を検知する。例えば、レーダのようなものから宅内の電子レンジのようなものまで、自端末と同一の周波数を使用するシステムの利用状況を検出し、自端末の通信に影響を与えるかを検知する。また、干渉以外にも、自端末が無線通信に使用しているチャネルを変更しなければならない状況かを検出する。そして、検出結果に基づき、チャネルを変更するかを判断し、判断の結果と検出内容とをチャネル変更通知生成部１２に通知する。
【００２１】
チャネル変更通知生成部１２は、干渉検出部１１で他のシステムによる同一チャネルの利用を検出した場合に受信する検出結果の内容に基づいて、チャネル変更通知を生成する。ここで、チャネル変更通知の詳細について説明する。
【００２２】
図３は、IEEE802.11 TGsで規定されているチャネル変更通知、Mesh Channel Switch Announcement elementのフォーマットである。通常、このフォーマットに沿って、干渉を検出した端末を識別するための情報、干渉がレーダであるか否かの干渉種別の情報、変更先のチャネルの情報、変更するタイミングが記される。本発明のチャネル変更通知生成部１２が生成するチャネル変更通知は、図４に示すように、IEEE802.11 TGsで規定されているMesh Channel Switch Announcement elementのChannel Switch Mode（Ｂ０〜Ｂ７）のReserved（Ｂ３〜Ｂ７）のＢ３に新たな項目Switch Decision５１を作り、Reserved（Ｂ４〜Ｂ７）となる。このSwitch Decision５１には、自端末におけるチャネル変更の判断結果が記される。チャネル変更通知生成部１２は、干渉検出部１１が干渉を検出してチャネルを変更すると判断した場合には“１”を、チャネルを変更しないと判断された場合には“０”を挿入する。チャネルを変更すると判断した場合には、Reasonに、チャネル変更理由を規定に沿った形式で挿入する。また、自端末で干渉を検出した場合ではなく、他の端末からチャネル変更通知を受信した場合においては、チャネル選択判断部１４による自局のチャネル変更の判断結果を含めてチャネル変更通知を生成する。尚、本発明においてSwitch Decision５１以外の項目は、IEEE802.11 TGsで規定されているMesh Channel Switch Announcement elementに基づくため、詳細な説明を省略する。
【００２３】
無線通信部１３は、他の無線通信装置と無線を使って通信する機能である。本実施の形態では例えばIEEE802.11送受信機である。干渉を検出した無線通信端末の無線通信部１３は、隣接する全無線通信端末にチャネル変更通知を送信する。隣接する無線通信端末からチャネル変更通知を受信した無線通信端末の無線通信部１３は、自端末のチャネル変更の判断に使用したチャネル変更通知を送信した無線通信端末以外に、自端末のチャネル変更を示したチャネル変更通知を送信する。尚、隣接する無線通信端末からチャネル変更通知を受信した無線通信端末の無線通信部１３は、隣接する全無線通信端末に、自端末のチャネル変更を示したチャネル変更通知を送信する構成であってもよい。
【００２４】
チャネル選択判断部１４は、チャネル変更通知を受信した場合に、チャネル変更通知に記されている、隣接する無線通信端末３１２の判断結果を記すSwitch Decision５１の情報を少なくとも用いて、自端末のチャネル変更の要否を判断する。尚、チャネル選択判断部１４は、自端末の干渉検出部３１での検出結果、及び、チャネル変更通知のReasonに記されている変更理由等を更に組み合わせて自端末のチャネル変更の要否を判断してもよい。また、判断に用いるチャネル変更通知は、一定期間に受信したチャネル変更通知であっても最初に受信したチャネル変更通知であっても良く、更に、チャネル変更通知を受信するたびに判断してもよい。
【００２５】
次に、本発明の実施の形態の動作について、図５のフロー図を用いて説明する。尚、以下の説明では、無線通信端末３１１が干渉を検出する場合を用いて説明する。
【００２６】
無線通信端末３１１の干渉検出部１１が干渉を検出すると（ステップＳ１）、チャネル変更するか否かを判断する（ステップＳ２）。チャネル変更しない場合はステップＳ１に戻る。一方、チャネル変更する場合、チャネル変更通知生成部１２は、チャネル変更通知を生成する（ステップＳ３）。無線通信部１３は、生成されたチャネル変更通知を隣接する無線通信端末３１２および無線通信端末３１３に対して送信する（ステップＳ４）。
【００２７】
無線通信端末３１２および無線通信端末３１３の無線通信部１３が無線通信端末３１１からのチャネル変更通知を受信すると、チャネル選択判断部１４は受信したチャネル変更通知の内容に基づいて、自端末が使用しているチャネル変更するか否かを判断する（ステップＳ５）。
【００２８】
以下に、実施例を用いて説明する。まず、無線通信端末３１２および無線通信端末３１３が、無線通信端末３１１からチャネル変更通知を受信し、無線通信端末３１２および無線通信端末３１３ともにチャネルを変更しないと判断した場合について説明する。
【００２９】
無線通信端末３１４は、無線通信端末３１２および無線通信端末３１３より受信したチャネル変更通知のSwitch Decision５１に記されているチャネル変更の情報に基づいてチャネル変更するか否かを判断する。ここでは、Switch Decision５１が無線通信端末３１２および無線通信端末３１３ともに０であることから、これらの隣接端末との接続を保持することを優先するため、チャネルを変更しないと判断する。そして、判断結果に基づいて新たなチャネル変更通知を生成し、隣の無線端末３１６に生成したチャネル変更通知を送信する。
【００３０】
続いて、無線通信端末３１２および無線通信端末３１３が、無線通信端末３１１からチャネル変更通知を受信し、無線通信端末３１２がチャネルを変更すると判断し、無線通信端末３１３はチャネルを変更しないと判断した場合について説明する。
【００３１】
無線通信端末３１４は、無線通信端末３１２および無線通信端末３１３より受信したチャネル変更通知のSwitch Decision５１に記されているチャネル変更の情報に基づいてチャネル変更するか否かを判断する。無線通信端末３１２はチャネルを変更するため、受信したチャネル変更通知のReasonに記されているチャネル変更理由に基づいてチャネル変更するか否かを判断する。ここで、無線通信端末３１２のSwitch Decision５１が１であり、Reasonに記されているチャネル変更理由からチャネルを変更した方がよいと判断したとする。すると、判断結果に基づいて、チャネルを変更する旨の新たなチャネル変更通知を生成し、隣の無線端末３１６と３１３とに送信する。
【００３２】
続いて、無線通信端末３１２および無線通信端末３１３が、無線通信端末３１１からチャネル変更通知を受信し、無線通信端末３１２および無線通信端末３１３ともにチャネルを変更すると判断した場合について説明する。
【００３３】
無線通信端末３１４は、無線通信端末３１２および無線通信端末３１３より受信したチャネル変更通知のSwitch Decision５１に記されているチャネル変更の情報に基づいてチャネル変更するか否かを判断する。ここでは、Switch Decision５１が無線通信端末３１２および無線通信端末３１３ともに１であることから、これらの隣接端末との接続を保持することを優先するため、チャネルを変更すると判断する。そして、判断結果に基づいて新たなチャネル変更通知を生成し、隣の無線端末３１６に生成したチャネル変更通知を送信する。
【００３４】
次に、本実施の形態の効果について説明する。本発明によると、同一メッシュネットワーク上の無線端末に、前記ネットワーク上の端末で行われたチャネル変更に関する情報を、自端末がチャネルを変更するか否かに関係なく通知する構成であるため、他の無線システムからの干渉によるチャネル変更を理由としたリンクの消失があることを知ることが出来る。また、リンクの消失が、突然発生することを防ぐことができる。更に、隣接する端末の判断結果を含めたチャネル変更通知を用いることで、チャネル変更通知を用いたチャネル変更の要否の判断の利便性を上げることができる。
【００３５】
（第２の実施形態）
次に、図６に示す無線通信端末のブロック図を用いて、第２の実施形態を説明する。尚、上記実施の形態と同様の構成については同一番号を付し、詳細な説明を省略する。
【００３６】
本実施の形態の無線通信端末は、第１の実施の形態の無線通信端末の構成に通信状態管理部６５を更に有する。
【００３７】
通信状態管理部６５は、隣接する無線端末との受信電界強度及びスループット等といった通信品質と、隣接する無線端末の省電力モードの利用の有無との少なくとも１つを通信状態情報として管理する。通信状態管理部６５は、これらの情報のほかに、隣接する無線端末との通信ログ等を管理してもよい。
【００３８】
チャネル選択判断部１４は、隣接通信端末から受信したチャネル変更通知とともに、通信状態管理部６５から提供される通信状態情報とを組み合わせて、自端末においてチャネルを変更するかを判断する。
【００３９】
本実施の形態の動作は上記実施の形態と同じであるため省略し、実施例について説明する。本実施形態の無線システムは、図１に示すようなネットワークを構成しているものとして説明する。
【００４０】
無線通信端末３１４は、無線通信端末３１２および無線通信端末３１３において、ともにチャネル変更を行わないという判断がなされた場合、チャネル変更通知のSwitch Decisionにチャネル変更を行わないことを示す０が挿入されたチャネル変更通知が無線端末３１４に送信される。
【００４１】
無線端末３１４のチャネル選択判断部においては、無線端末３１２および無線端末３１３より受信したチャネル変更通知のSwitch Decisionのチャネル変更の情報とともに自端末の通信状態管理部６５で管理されている情報を勘案してチャネル変更をするかを判断する。ここでは、チャネル変更を行わないという判断したとする。そして判断結果に基づいて新たに生成したチャネル変更通知を隣の無線通信端末３１６へ送信する。
【００４２】
一方、無線端末３１５では、無線端末３１１からのチャネル変更通知を元にチャネルを変更するという判断を行い、チャネル変更を行うことを示す１をSwitch Decision５１に挿入したチャネル変更通知を、無線端末３１６へ送信する。
【００４３】
無線通信端末３１６の無線通信部１３は、無線端末３１４からSwitch Decision５１が０であるチャネル変更通知と、無線端末３１５からSwitch Decision５１が１であるチャネル変更通知とを受信する。
【００４４】
無線通信端末３１６のチャネル選択判断部１４では、受信したチャネル変更通知とともに、通信状態管理部６５から提供される、無線通信端末３１４と無線通信端末３１５との受信電界強度又はスループットといった通信品質、若しくは、省電力モードの利用の有無といった情報とを組み合わせて、自端末においてチャンネルを変更するか否かを判断する。例えば、無線通信端末３１４との間の電界強度は低く、無線通信端末３１５との間の電界強度は高いため、無線通信端末３１５とのリンクを維持するとしてチャネルを変更すると判断する。
【００４５】
次に第２の実施形態の効果について説明する。本実施の形態によると、隣接端末の判断結果が異なる場合であっても、他の情報と組み合わせることで、より適切なチャネル変更の要否の判断ができる。特に、複数のリンクを保持している場合には、実際の通信状況と併せて判断が可能となる。
【００４６】
（第３の実施形態）
次に、第３の実施形態を説明する。図７は、本実施の形態で用いるチャネル変更通知のフォーマットである。
【００４７】
本実施の形態の無線通信システムは、上記第１及び第２の実施の形態同様に、図１に示すようなネットワークを構成する。本実施の形態の無線通信端末は、上記実施の形態と同様の構成のため同様の構成については同一番号を付して説明する。尚、以下の説明では、第１の実施の形態の構成を元にして説明するが、第２の実施の形態と同じ構成であっても良い。また、無線端末３１１が干渉を検出する場合、無線端末３１１から無線端末３１２および無線端末３１３に対して、チャネル変更通知が送信される場合を用いて説明する。
【００４８】
本実施の形態のチャネル変更通知生成部１２が生成するチャネル変更通知は、図7に示すように、図３に示すIEEE802.11 TGsで規定されているMesh Channel Switch Announcement elementのChannel Switch Mode（Ｂ０〜Ｂ７）のReserved（Ｂ３〜Ｂ７）を新たな項目Switch Decision７１とする。このSwitch Decision７１には、経路上の他端末の判断結果が挿入される。自端末が干渉を検出した場合は、Switch Decision７１に１を挿入する。隣接端末からチャネル変更通知を受信して、自端末においてチャネルを変更すると判断した場合には受信したチャネル変更通知のSwitch Decision７１に記されている値に１を加算した値を挿入する。一方、チャネルを変更しないと判断した場合には、受信したチャネル変更通知のSwitch Decision７１の値を保持したままにする。また、Switch Decision７１に記されている値が最大値３１に達した場合には、それ以上の加算を行わない。
【００４９】
次に、本発明の実施の形態の動作について、図８のフロー図を用いて説明する。尚、以下の説明では、無線通信端末３１１が干渉を検出する場合を用いて説明する。
【００５０】
無線通信端末３１１の干渉検出部１１が干渉を検出すると（ステップＳ１）、チャネル変更するか否かを判断する（ステップＳ２）。チャネル変更しない場合はステップＳ１に戻る。一方、チャネル変更する場合、チャネル変更通知生成部１２は、チャネル変更通知を生成する（ステップＳ３）。無線通信部１３は、生成されたチャネル変更通知を隣接する無線通信端末３１２および無線通信端末３１３に対して送信する（ステップＳ４）。
【００５１】
無線通信端末３１２および無線通信端末３１３の無線通信部１３が無線通信端末３１１からのチャネル変更通知を受信すると、チャネル選択判断部１４は受信したチャネル変更通知の内容に基づいて、自端末が使用しているチャネル変更するか否かを判断する（ステップＳ５）。
【００５２】
判断の結果、チャネル変更する場合、チャネル変更通知のSwitch Decision７１の値に１を加算する（ステップＳ６）。一方、チャネル変更しない場合、チャネル変更通知のSwitch Decision７１の値をそのまま維持する（ステップＳ７）。
【００５３】
以下に、実施例を用いて説明する。なお、以下の説明では、無線通信端末３１４が無線通信端末３１２、無線通信端末３１３、及び無線通信端末３１６よりチャネル変更通知が送信される場合について説明する。
【００５４】
無線通信端末３１１が干渉を検出してチャネルを変更すると判断すると、Switch Decision７１に１がセットされたチャネル変更通知が、無線通信端末３１２および無線通信端末３１３に送信される。
【００５５】
無線通信端末３１２および無線通信端末３１３ともにチャネル変更を行わないという判断がなされたとするとSwitch Decision７１は変更されず、１の値のまま無線端末３１４へ送信される。
【００５６】
一方、無線通信端末３１５および無線通信端末３１６ともにチャネル変更を行うという判断がなされたとすると、無線通信端末３１６から無線通信端末３１４へ送信されるチャネル変更通知のSwitch Decision７１の値に３が記されていることとなる。
【００５７】
無線通信端末３１４においては、無線通信端末３１２および無線通信端末３１３より受信したチャネル変更通知のSwitch Decision７１が１である一方、無線通信端末３１６より受信したチャネル変更通知のSwitch Decision７１が３であることを、自端末におけるチャネル変更の判断材料として採用する。尚、必要に応じて、第２の実施の形態同様に、他の情報と組み合わせて判断を行ってもよい。
【００５８】
次に第３の実施形態の効果について説明する。本実施の形態によると、隣接端末以外にも、経路上の他端末の判断結果を利用することで、より適切なチャネル変更の要否の判断ができる。
【００５９】
尚、上述した本発明の端末は、上記説明からも明らかなように、ハードウェアで構成することも可能であるが、コンピュータプログラムにより実現することも可能である。
【００６０】
プログラムメモリに格納されているプログラムで動作するプロセッサによって、上述した実施の形態と同様の機能、動作を実現させる。尚、上述した実施の形態の一部の機能をコンピュータプログラムにより実現することも可能である。
【００６１】
以上、実施の形態及び実施例をあげて本発明を説明したが、本発明は必ずしも上記実施の形態及び実施例に限定されるものではなく、その技術的思想の範囲内において様々に変形し実施することが出来る。
【産業上の利用可能性】
【００６２】
本発明によるチャネル変更方式は無線端末間の利用チャネル選択に有用である。
【図１】
2011223158.tif 000003
【図２】
2011223158.tif 000004
【図３】
2011223158.tif 000005
【図４】
2011223158.tif 000006
【図５】
2011223158.tif 000007
【図６】
2011223158.tif 000008
【図７】
2011223158.tif 000009
【図８】
2011223158.tif 000010